(57)【要約】【課題】  ネオン管が破損することに基いて機内にネオン管の破損片が飛散することを防止すること。【解決手段】  ネオン管４８は表示台板に装着されるものであり、ネオン管ケース４１内に収納されている。このネオン管ケース４１の両端部には接着剤製の封止部５２が形成されている。これら両封止部５２はネオン管４８をネオン管ケース４１に固定するものであり、ネオン管４８の外周面とネオン管ケース４１の内面との隙間を閉鎖している。この構成の場合、ネオン管４８に外力が直接的に加わることがなくなるので、ネオン管４８が破損し難くなる。しかも、ネオン管４８が破損したときに破損片がネオン管ケース４１内に留まるようになるので、機内に破損片が飛散することがなくなる。【選択図】  図３
2006333959.tif 000002
【特許請求の範囲】
【請求項１】
管状をなす光源と、
前記光源が収納される空間部を有する透光性のケースと、
前記ケース内に前記光源の両端部に位置して設けられ、前記ケース内に充填されることに基いて前記光源を前記ケース内に固定する充填剤から構成されたものであって前記ケースの内面と前記光源の外周面との隙間を塞ぐ蓋部と
を備えたことを特徴とする遊技機の電飾装置。
【発明の詳細な説明】
【技術分野】
【０００１】
本発明は、管状の光源を有する遊技機の電飾装置に関する。
【背景技術】
【０００２】
ガラス製品は割れ易く、取扱いに注意が必要であることは一般的に知られていることである。
【発明の開示】
【発明が解決しようとする課題】
【０００３】
ガラス製品の一つである管状の光源を剥き出しで遊技盤に搭載したときには光源に過大な外力が直接的に加わることがある。例えば作業者が光源を遊技盤に組付るときには光源に工具を誤って衝突させる可能性があり、パチンコホール側がガラス扉を開放して作業を行うときには遊技球を光源に誤って衝突させる可能性があり、いずれの場合にも光源が外力で破損することに基いて機内に破損片が飛散する。ガラス製品の一つであるネオン管は手作業で曲げ加工が行われるので、加工精度のばらつきが生じ易い。このネオン管を遊技盤に複数の支持金具を介して搭載しようとしたときにはネオン管を複数の支持金具に嵌め込むときにネオン管に過大な負荷が作用するので、ネオン管が破損することに基いて機内に破損片が飛散する。この遊技機内には多数の部品が高密度で搭載されているので、破損片を部品相互間の隙間を通して完全に除去することは不可能である。このため、機内に破損片が飛散したときには破損片が残るので、破損片が遊技機の円滑な動作に悪影響を及ぼす虞れがある。
【０００４】
本発明は上記事情に鑑みてなされたものであり、その目的は、管状の光源が破損することに基いて機内に破損片が飛散することを防止できる遊技機を提供することにある。
【課題を解決するための手段】
【０００５】
請求項１記載の遊技機の電飾装置は１）光源〜３）蓋部を備えたところに特徴を有している。
１）光源は管状をなすものであり、図３のネオン管４８は光源の一例である。
２）ケースは光源が収納される空間部を有するものであり、光源から投射された光が透過する透光性を有している。図３のネオン管ケース４１はケースの一例である。
３）蓋部はケース内に光源の両端部に位置して設けられたものであり、ケースの内面と光源の外周面との隙間を塞ぐものである。この蓋部は充填剤から構成されたものである。この充填剤はケースの内面と光源の外周面との隙間寸法の大小に拘らず当該隙間に充填することが可能な非定形性のものであり、光源をケース内に固定する固定機能を有している。接着剤・補修剤（パテ）・綿・粘土等は充填剤の一例であり、図３の接着剤製の封止部５２は蓋部の一例である。
【発明の効果】
【０００６】
管状の光源をケース内に収納している。このため、光源に外力が直接的に加わることがなくなるので、光源が破損し難くなる。しかも、光源を充填剤製の蓋部によってケース内に固定している。このため、光源の加工精度のばらつきで光源の外周面とケースの内面との間の隙間寸法が安定しないときでも両者の隙間を充填剤で埋めることができるので、光源を加工精度のばらつきに影響されることなくケース内に確実に固定することができる。従って、光源を複数の支持金具に無理に取付ける必要がなくなるので、この点からも光源が破損し難くなる。さらに、光源の外周面とケースの内面との隙間を両蓋部によって光源の両端部で閉鎖している。このため、光源が破損したときには破損片がケース内に留まるので、機内に破損片が飛散することがなくなる。
【発明を実施するための最良の形態】
【０００７】
【実施例１】
【０００８】
パチンコホールの台島には、図１に示すように、外枠１が設置されている。この外枠１は前後面が開口する四角筒状をなすものであり、外枠１の前端面には前枠２が左側辺部の垂直な軸を中心に回動可能に装着されている。この前枠２の前面には下端部に位置して横長な長方形状の下皿板３が固定されており、下皿板３の前面には上面が開口する下皿４が固定されている。この下皿板３の上方には上皿板５が配置されている。この上皿板５は前枠２に装着されたものであり、上皿板５の前面には上面が開口する上皿６が固定されている。
【０００９】
下皿板３の前面には右端部に位置してハンドル台７が固定されており、ハンドル台７には発射ハンドル８が回動可能に装着されている。この発射ハンドル８の後方には発射モータ９が固定されており、発射モータ９の回転軸には打球槌１０が連結されている。この発射モータ９は打球槌１０の駆動源に相当するものであり、発射ハンドル８が回動操作されたときには発射モータ９に駆動電源が与えられ、打球槌１０が駆動することに基づいて上皿６内の遊技球を上皿６内から弾き出す。
【００１０】
前枠２の前面には窓枠１１が装着されている。この窓枠１１は円形孔状の窓部１２を有するものであり、窓部１２の内周面には透明なガラス窓１３が固定されている。この窓枠１１の後面には左上隅部および右上隅部に位置してスピーカ１４が固定されており、各スピーカ１４の前方には網状のスピーカカバー１５が配置されている。これら各スピーカカバー１５は窓枠１１に固定されたものであり、各スピーカ１４が再生する遊技音は前方のスピーカカバー１５を通して放出される。窓枠１１には両スピーカ１４間に位置してランプカバー１６が固定されており、ランプカバー１６の後方には複数の電飾ＬＥＤ１７が配置されている。これら各電飾ＬＥＤ１７は窓枠１１に固定されたものであり、ランプカバー１６は電飾ＬＥＤ１７が発光することに基いて後方から照明される。
【００１１】
前枠２には、図２に示すように、遊技盤１８が装着されており、遊技盤１８は窓枠１１のガラス窓１３により前方から覆われている。この遊技盤１８の前面には外レール１９および内レール２０が固定されており、外レール１９の上端部と内レール２０の上端部との間にはゴム製の球止め２３が固定されている。これら外レール１９および内レール２０間には左側部に位置して発射通路２１が形成されており、打球槌１０が弾いた遊技球は発射通路２１を通して遊技領域２２内に放出される。この遊技領域２２内には複数の障害釘が打込まれており、遊技領域２２内に放出された遊技球は障害釘に当りながら遊技領域２２内を落下する。この遊技領域２２は外レール１９および内レール２０によって囲まれた円形領域（発射通路２１の残余領域）を称するものであり、遊技球が転動可能な最大範囲である転動領域に相当する。
【００１２】
遊技領域２２内には大入賞口台板２４が固定されており、大入賞口台板２４には前面が開口する四角筒状の大入賞口２５が固定されている。この大入賞口台板２４には扉２６が下端部の水平な軸２７を中心に回動可能に装着されている。この扉２７は大入賞口ソレノイドのプランジャに連結されており、大入賞口ソレノイドは扉２６を垂直状態に回動操作することに基づいて大入賞口２５の前面を遊技球が入賞不能に閉鎖し、扉２６を前方へ倒れた水平状態に回動操作することに基づいて大入賞口２５の前面を遊技球が入賞可能に開放する。
【００１３】
遊技領域２２内には表示台板２８が固定されている。この表示台板２８は台板に相当するものであり、遊技盤１８の前面から突出している。この表示台板２８には図柄表示器２９が固定されている。この図柄表示器２９はカラー液晶表示器から構成されたものであり、図柄表示器２９には識別図柄が表示される。この識別図柄は左列の数字図柄と中列の数字図柄と右列の数字図柄の組合せ図柄を称するものであり、遊技者には識別図柄の３列の組合せに応じて大当りおよび外れが報知される。
【００１４】
遊技領域２２内には始動口３０が固定されている。この始動口３０は上面が開口するポケット状をなすものであり、遊技領域２２内を転動する遊技球は始動口３０内に上面から入賞可能にされている。この始動口３０は図柄遊技を開始するスタート口として機能するものであり、遊技球が始動口３０内に入賞したときには図柄遊技が開始される。この図柄遊技は図柄表示器２９に識別図柄を可変状態および可変停止状態で順に表示するものであり、識別図柄が大当りの組合せで停止表示されたときには大当り遊技が開始される。この大当りの組合せとは各列の数字図柄が同一な組合せを称するものであり、大当り以外の組合せを外れの組合せと称する。
【００１５】
大当り遊技は大入賞口２５を開放し、大入賞口２５内に遊技球が入賞することを許容する遊技者有利の状態を発生させるものであり、大入賞口２５は上限個（１０個）の遊技球が入賞する個数条件または開放時間が上限値（３０ｓｅｃ）に達する時間条件が満足されるまで開放状態に保持される。この大入賞口２５の個数条件および時間条件を基準とする開閉動作は大当りラウンドと称されるものであり、大当りラウンドは固定的な設定回数（１５回）だけ繰返される。この大当りラウンドの繰返しを大当り遊技と称する。
【００１６】
表示台板２８の上端部には、図２に示すように、庇３１が固定されている。この庇３１は表示台板２８の前面から前方へ突出するものであり、表示台板２８には庇３１の下方に位置してネオン管モジュール４０が固定されている。このネオン管モジュール４０は遊技盤１８を光で装飾する電飾装置に相当するものであり、次のように構成されている。
【００１７】
表示台板２８にはネオン管ケース４１が固定されている。このネオン管ケース４１は表示台板２８の輪郭形状に沿って屈曲する筒状をなすものであり、図６に示すように、ネオン管収納部４２有している。このネオン管収納部４２はネオン管ケース４１の内部空間を称するものであり、２辺の長さ寸法Ｌが同一な正方形状をなしている。このネオン管ケース４１はケースに相当するものであり、ネオン管収納部４２は空間部に相当するものである。
【００１８】
ネオン管ケース４１は無色透明な合成樹脂製の前カバー４３および無色透明な合成樹脂製の後カバー４４を組合わせることから構成されている。前カバー４３は後面が開口するコ字形の断面形状をなすものであり、遊技盤１８に対して垂直な前後方向へ延びる２つの接合面４５を有している。後カバー４４は前カバー４３の後面を塞ぐ直線形の断面形状をなすものであり、遊技盤１８に対して垂直な前後方向へ延びる２つの接合面４６を有している。この前カバー４３の両側壁には複数の爪部４７が形成されており、後カバー４４は複数の爪部４７によって係止されることに基いて前カバー４３に接合され、前カバー４３の両接合面４５は後カバー４４の両接合面４６に面接触状態で接合されている。
【００１９】
ネオン管収納部４２内にはネオン管４８が収納されている。このネオン管４８は光源に相当するものであり、前カバー４３はネオン管４８を前方からカバーし、後カバー４４はネオン管４８を後方からカバーしている。このネオン管４８は無色透明な封止管内にネオンガスを封入してなるものであり、ネオン管ケース４１に沿って屈曲している。このネオン管４８の直径寸法Ｒはネオン管収納部４２の各辺の長さ寸法Ｌに比べて小さく設定されており、ネオン管４８の外周面はネオン管ケース４１の内面から離間している。このネオン管４８は手作業で曲げられたものであり、ネオン管４８の両端部には電極４９が固定されている。これら各電極４９にはリード線５０が半田付けされており、ネオン管４８には両リード線５０を通して電源が印加される。ネオン管ケース４１の両端部には切欠状の開口部５１が形成されている。これら各開口部５１は前カバー４３に形成されたものであり、各電極４９は開口部５１を通して露出している。
【００２０】
ネオン管ケース４１内には、図３に示すように、両端部に位置して封止部５２が形成されている。これら各封止部５２は無色透明な合成樹脂製の接着剤（具体的にはシリル化ウレタン樹脂）が硬化してなるものであり、両封止部５２はネオン管４８の両端部をネオン管ケース４１に固着し、ネオン管ケース４１の内面とネオン管４８の外周面との間の隙間を塞いでいる。これら封止部５２は蓋部に相当するものであり、接着剤は充填剤に相当するものである。尚、図６はネオン管ケース４１の一端部を封止部５２の除去状態で示している。
【００２１】
ネオン管４８には、図３に示すように、２個の第１の屈曲部５３が形成されている。これら各第１の屈曲部５３はネオン管４８のうち前後方向に屈曲する部分を称するものであり、ネオン管ケース４１内には、図４に示すように、ネオン管４８の各第１の屈曲部５３に位置して第１の固着部５４が形成されている。これら各第１の固着部５４は封止部５２と同一の接着剤が硬化してなるものであり、ネオン管４８は両第１の屈曲部５３でネオン管ケース４１に固着されている。これら各第１の固着部５４は前方から第１の粗面部によって覆われている。これら各第１の粗面部は第１の固着部５４の存在を目立たなくするものであり、前ケース４３にシボ加工を施すことから形成されている。
【００２２】
ネオン管４８には、図３に示すように、３個の第２の屈曲部５５が形成されている。これら各第２の屈曲部５５はネオン管４８のうち上下方向へ大きく屈曲する部分を称するものであり、ネオン管ケース４１内には、図５に示すように、ネオン管４８の各第２の屈曲部５５に位置して第２の固着部５６が形成されている。これら各第２の固着部５６は封止部５２と同一の接着剤が硬化してなるものであり、ネオン管４８は３個の第２の屈曲部５６でネオン管ケース４１に固着されている。これら各第２の固着部５６は前方から第２の粗面部によって覆われている。これら各第２の粗面部は第２の固着部５６の存在を目立たなくするものであり、前ケース４３にシボ加工を施すことから形成されている。
【００２３】
次にネオン管モジュール４０の製造方法について説明する。
１）前カバー４３を治具に固定する。
２）前カバー４３内に接着剤を注入する。この接着剤の注入処理は第１の固着部５３および第２の固着部５５の生成箇所に対して行われるものであり、前カバー４３の内面には接着剤の注入箇所を特定する複数のマークが形成されている。
３）前カバー４３内にネオン管４８を挿入する。
４）前カバー４３に後カバー４４を接合する。
５）ネオン管４８の両電極４９に開口部５１を通してリード線５０を半田付けする。
６）ネオン管ケース４１の両端部に接着剤を注入し、両封止部５２を形成する。
【００２４】
上記実施例１によれば次の効果を奏する。
ネオン管４８をネオン管ケース４１内に収納した。このため、ネオン管４８に外力が直接的に加わることがなくなるので、ネオン管４８が破損し難くなる。しかも、ネオン管４８の外周面とネオン管ケース４１の内面との隙間を両封止部５２によってネオン管４８の両端部で閉鎖した。このため、ネオン管４８が破損したときに破損片がネオン管ケース４１内に留まるようになるので、機内に破損片が飛散することがなくなる。さらに、ネオン管４８を接着剤製の両封止部５２によってネオン管ケース４１内に固定した。このため、ネオン管４８の曲げ精度のばらつきでネオン管４８の外周面とネオン管ケース４１の内面との間の隙間寸法が安定しないときでも両者の隙間を接着剤で埋めることができるので、ネオン管４８を曲げ精度のばらつきに影響されることなくネオン管ケース４１内に確実に固定することができる。
【００２５】
管状の光源としてネオン管４８を利用した。このネオン管４８は手作業で曲げられるものであり、寸法のばらつきが生じ易い。このため、表示台板２８に複数の支持金具を固定し、ネオン管４８を複数の支持金具に嵌合することで遊技盤１８に固定しようとしたときにはネオン管４８に無理な負荷が加わるので、ネオン管４８が破損する虞れがある。しかしながら、ネオン管４８をネオン管ケース４１に接着剤で固定し、ネオン管ケース４１を表示台板２８に固定したので、ネオン管４８を加工精度のばらつきに影響されることなく表示台板２８の定位置に確実に固定することができる。従って、ネオン管４８を複数の支持金具に無理に取付ける必要がなくなるので、この点からもネオン管４８が破損し難くなる。
【００２６】
ネオン管ケース４１を前カバー４３および後カバー４４に分割したので、ネオン管４８を第１の屈曲部５３と第２の屈曲部５５で前カバー４３に接着した後に前カバー４３および後カバー４４を相互に接合することができる。このため、ネオン管４８を両端部を含む３以上の部分でネオン管ケース４１に固定することができるので、ネオン管４８のネオン管ケース４１に対する位置的な安定性が高まり、遊技機を搬送するときにネオン管４８が大きく振動することに基いてネオン管ケース４１の内面に衝突することが防止される。しかも、前カバー４３の両接合面４５および後カバー４４の両接合面４６を遊技盤１８に対して垂直に設けた。このため、前カバー４３の両接合面４５および後カバー４４の両接合面４６が前方の遊技者から見難くなるので、意匠性の低下が防止される。特に表示台板２８は大当りおよび外れの判定結果を識別図柄の組合せで遊技者に報知するものであり、遊技者の注目度が高い。この表示台板２８にネオン管モジュール４０が搭載されているので、遊技者の視線がネオン管モジュール４０に向く頻度が高くなる。従って、意匠性の低下防止が有効になる。
【００２７】
ネオン管４８を第１の屈曲部５３および第２の屈曲部５５でネオン管ケース４１に接着した。これら第１の屈曲部５３および第２の屈曲部５５は設計値に比べて曲率半径が大きくなる傾向にあり、ネオン管ケース４１の内面に局部的に接近し易い事情があるが、遊技機を搬送するときにネオン管４８が第１の屈曲部５３および第２の屈曲部５５で振動することがなくなるので、第１の屈曲部５３および第２の屈曲部５５がネオン管ケース４１の内面に衝突することが防止される。これら第１の屈曲部５３および第２の屈曲部５５はネオン管ケース４１の内面に接近する部分が薄肉になるが、接着剤によって補強されるので、第１の屈曲部５３および第２の屈曲部５５が振動で破れることも防止される。
【００２８】
ネオン管４８をネオン管ケース４１内に合成樹脂製の接着剤によって固定した。このため、ネオン管ケース４１に衝撃力が作用したときに接着剤によって吸収されるので、ネオン管４８が衝撃力で破損する確度が低くなる。ネオン管４８として無色透明な封止管内にネオンガスが封入されたものを用い、ネオン管４８をネオン管ケース４１に接着する接着剤として無色透明なものを用いた。このため、ネオン管４８が無色透明になる消灯状態でネオン管４８を実際の直径寸法よりも太く見せることができる。
【実施例２】
【００２９】
ネオン管ケース４１の両端部には、図７に示すように、絶縁チューブ５７が被せられている。この絶縁チューブ５７は絶縁性のゴムを材料に形成されたものであり、電極４９およびリード線５０相互間の接続部分を覆っている。このため、両者の接続部分に遊技球が接近することに基いて放電が発生することが防止される。
【実施例３】
【００３０】
ネオン管ケース４１は、図８に示すように、前カバー６１および後カバー６２から構成されている。前カバー６１はネオン管４８を前方からカバーするものであり、遊技盤１８に対して垂直な２個の接合面６３を有している。後カバー６２はネオン管４８を後方からカバーするものであり、遊技盤１８に対して垂直な２個の接合面６４を有している。これら前カバー６１の両接合面６３および後カバー６２の両接合面６４は相互に接着剤で接合されており、ネオン管ケース４１は断面形状が楕円形に設定されている。
【００３１】
上記実施例３によれば、前カバー６１の両接合面６３および後カバー６２の両接合面６４を遊技盤１８に対して垂直に設けた。このため、前カバー６１の両接合面６３および後カバー６２の両接合面６４が前方の遊技者から見難くなるので、意匠性の低下が防止される。
【実施例４】
【００３２】
ネオン管ケース４１は、図９に示すように、前カバー７１および後カバー７２から構成されている。前カバー７１はネオン管４８を前方からカバーするものであり、遊技盤１８に対して垂直な２個の接合面７３を有している。後カバー７２はネオン管４８を後方からカバーするものであり、遊技盤１８に対して垂直な２個の接合面７４を有している。これら前カバー７１の両接合面７３および後カバー７２の両接合面７４は相互に接着剤で接合されており、ネオン管ケース４１は断面形状が三角形に設定されている。
【００３３】
上記実施例４によれば、前カバー７１の両接合面７３および後カバー７２の両接合面７４を遊技盤１８に対して垂直に設けた。このため、前カバー７１の両接合面７３および後カバー７２の両接合面７４が前方の遊技者から見難くなるので、意匠性の低下が防止される。
【００３４】
上記実施例１〜実施例４においては、ネオン管４８として無色透明な封止管を有するものを用いたが、これに限定されるものではなく、例えば内面に蛍光体が塗布された透明管を用いたり、あるいは、内面に蛍光体が塗布された着色管を用いても良い。前者の場合にはネオン管４８が消灯状態で白く見えるので、ネオン管４８を白色半透明な接着剤によってネオン管ケース４１内に固定すれば消灯状態で実際よりも太く見せることができる。後者の場合にはネオン管４８が消灯状態で着色管の色彩に見えるので、ネオン管４８を着色管と同一の色彩の接着剤によってネオン管ケース４１内に固定すれば消灯状態で実際よりも太く見せることができる。
【００３５】
上記実施例１〜実施例４においては、ネオン管４８をネオン管ケース４１内に接着する接着剤として無色透明なものを用いたが、これに限定されるものではなく、例えばラメ等の反射剤が混合された接着剤を用いても良い。この場合には反射剤の拡散状態を均一化することが可能な低粘度の接着剤を使用することが好ましい。
【００３６】
上記実施例１〜実施例４においては、ネオン管ケース４１の両端部に開口部５１を設けたが、これに限定されるものではなく、例えば両開口部５１を廃止しても良い。この場合、ネオン管４８の両電極４９にリード線５０を半田付けした後にネオン管４８を前カバー４３内に接着し、前カバー４３に後カバー４４を固定すると良い。この構成の場合、電極４９およびリード線５０相互間の接続部分をネオン管ケース４１によって覆うことができる。
【００３７】
上記実施例１〜実施例４においては、ネオン管４８をネオン管ケース４１内に部分的に接着する構成としたが、これに限定されるものではなく、例えばネオン管ケース４１内の全域に接着剤を注入することに基いてネオン管４８の全体をネオン管ケース４１内に接着する構成としても良い。
【００３８】
上記実施例１〜実施例４においては、ネオン管４８としてネオンガスが封入されたものを用いたが、これに限定されるものではなく、例えばアルゴンガスが封入されたものを用いても良い。
【００３９】
上記実施例１〜実施例４においては、ネオン管ケース４１内の両端部に接着剤を充填することから蓋部に相当する封止部５２を形成したが、これに限定されるものではなく、例えば綿や粘度やゴム等の充填剤を充填することから蓋部を形成し、ネオン管４８を両端部でネオン管ケース４１内に綿や粘度やゴム等の充填剤によって固定しても良い。この構成の場合、ネオン管ケース４１およびネオン管４８の双方から綿や粘度やゴム等の充填剤を容易に分離することができるので、ネオン管４８の再利用が簡単になる。
【図面の簡単な説明】
【００４０】
【図１】実施例１を示す図（ａは遊技機の全体構成を示す前面図、ｂは側面図）
【図２】遊技盤を示す前面図
【図３】ネオン管モジュールを示す図（ａはＸａ線に沿う断面図、ｂはＸｂ視図、ｃはＸｃ部を拡大して示す図、ｄはＸｄ部を拡大して示す図）
【図４】図３のＸ４部を拡大して示す断面図
【図５】図３のＸ５部を拡大して示す図
【図６】ネオン管モジュールの端部を拡大して示す図（ａは図３のＸ６視図、ｂは図６のＸｂ視図）
【図７】実施例２を示す図６の（ａ）相当図
【図８】実施例３を示す図（ネオン管ケースを示す断面図）
【図９】実施例４を示す図８相当図
【符号の説明】
【００４１】
４１はネオン管ケース、４２はネオン管収納部、４３は前カバー、４４は後カバー、４５は接合面、４６は接合面、４８はネオン管、５２は封止部を示している。
【図１】
2006333959.tif 000003
【図２】
2006333959.tif 000004
【図３】
2006333959.tif 000005
【図４】
2006333959.tif 000006
【図５】
2006333959.tif 000007
【図６】
2006333959.tif 000008
【図７】
2006333959.tif 000009
【図８】
2006333959.tif 000010
【図９】
2006333959.tif 000011